(57)【要約】【課題】信頼性のあるスイッチングと良好なクリック感を確保し、カバーレイフィルムの破損を抑制できるスイッチング用の固定接点を備えたフレキシブルプリント配線板、入力モジュール、携帯機器の提供を課題とする。【解決手段】ベースフィルム５１上に導電パターン５２、カバーレイフィルム５３を備え、導電パターンに第１、第２固定接点を備え、ドーム状可動接点を押動することで第１、第２固定接点間のスイッチングが行われるフレキシブルプリント配線板で、第１固定接点５２１のリード線５２１ａを第２固定接点５２２の一部開放領域５２２ａを介して外部に延長し、カバーレイフィルム５３は第１、第２固定接点を露出状態に保持する一方、一部開放領域を通るリード線５２１ａを被覆し、第１、第２固定接点の少なくとも一方のベースフィルム５１上での高さを、カバーレイフィルム５３で被覆される周囲の導電パターン５２の高さよりも高くしてある。【選択図】      図４
2009205885.tif 000002
【特許請求の範囲】
【請求項１】
ベースフィルム上に導電パターンと該導電パターンを被覆するカバーレイフィルムを備え、前記導電パターンにはスイッチング用の固定接点として第１固定接点とそれを囲む第２固定接点とを備え、前記固定接点に対して組み合わされるドーム状可動接点が押動されることで該ドーム状可動接点による前記第１固定接点と第２固定接点との間のスイッチングが行われるように構成してなるスイッチング用の固定接点を備えたフレキシブルプリント配線板であって、
前記第１固定接点のリード線を前記第２固定接点の囲みの一部開放領域を介して外部領域に延長するように構成し、
前記カバーレイフィルムは、前記第１固定接点及び第２固定接点を被覆することなく露出状態に保持する一方、前記第２固定接点の囲みの一部開放領域を通るリード線を被覆するように構成し、
且つ前記第１固定接点と第２固定接点の少なくとも一方のベースフィルム上での高さを、カバーレイフィルムで被覆される周囲の導電パターンの高さよりも高く構成してあることを特徴とするスイッチング用の固定接点を備えたフレキシブルプリント配線板。
【請求項２】
第２固定接点のベースフィルム上での高さを、該第２固定接点の周囲にあるカバーレイフィルムのベースフィルム上での高さと同じ高さに構成してあることを特徴とする請求項１に記載のスイッチング用の固定接点を備えたフレキシブルプリント配線板。
【請求項３】
第１固定接点、第２固定接点及び第２固定接点の周囲にあるカバーレイフィルムのベースフィルム上での高さを同じ高さに構成してあることを特徴とする請求項１に記載のスイッチング用の固定接点を備えたフレキシブルプリント配線板。
【請求項４】
第１固定接点、第２固定接点、カバーレイフィルムの高さ調整は、それらに対応する導電パターン部分の積層厚を増肉若しくは減肉することによってなされていることを特徴とする請求項１〜３の何れか１つに記載のスイッチング用の固定接点を備えたフレキシブルプリント配線板。
【請求項５】
請求項１〜４の何れか１つに記載のスイッチング用の固定接点を備えたフレキシブルプリント配線板と、該配線板に組み合わされるドーム状可動接点と、該ドーム状可動接点に対して入力操作による押圧力を作用させる入力操作部とを少なくとも備えたことを特徴とする入力モジュール。
【請求項６】
請求項５に記載の入力モジュールを少なくとも備えたことを特徴とする携帯機器。
【発明の詳細な説明】
【技術分野】
【０００１】
本発明は、スイッチング用の固定接点を備えたフレキシブルプリント配線板、そのフレキシブルプリント配線板を用いた入力モジュール、そのモジュールを用いた携帯機器に関する。
【背景技術】
【０００２】
携帯電話機、ノートパソコン、デジタルカメラ等の携帯機器においては、一般的に、入力モジュールを用いて所要の入力操作ができるようになされている。そして前記入力モジュールには、その構成の一部として、入力操作に伴ってスイッチ動作がなされるよう、スイッチング用の固定接点を導電パターン上に備えたフレキシブルプリント配線板が用いられたりする。
また前記携帯電話機等の携帯機器においては、入力キー等を備えた入力操作部からの押圧スイッチ操作を前記フレキシブルプリント配線板の一対の固定接点間における断接動作に結びつける仲介部材として、ドーム状の可動接点を用いる場合が多い。
前記ドーム状の可動接点を用いてスイッチングを行う従来技術として、例えば特開２００２−１５７９３９号公報には、フレキシブルプリント回路のスイッチ構造が開示されている。この従来技術のスイッチ構造は、導電パターン（２ｂ）上に設けられた一対の分断された固定接点に対し、その上にラバードーム（３）が配置された構造とされている。そしてラバードーム（３）が押されることで、カーボン接点（３ｄ）（可動接点）が、前記一対の接点間を接続する構造とされている。
また特開２００４−７９４４２号公報には、携帯電話用キーシート・モジュールが開示されている。その図４には、回路基板上に構成される一対の固定接点として、島状の固定接点（６）とその周りを囲む環状の固定接点（５）が開示されている。そしてドームの接点ばね（４）が押されることで島状の固定接点（６）とその周囲を囲む環状の固定接点（５）とが接続される構造が開示されている。
また特開２００７−１４１８７１号公報には、シートスイッチ及びその操作シートが開示されている。その図４Ａには、回路基板上に構成される一対の固定接点として、島状の固定接点（５）とそれを囲む環状の固定接点（ターミナル６）とが開示されている。そして島状の固定接点（５）のリード線が環状の固定接点（ターミナル６）の囲みの一部開放領域から外部に延出されるようにした構造が開示されている。
【特許文献１】特開２００２−１５７９３９号公報
【特許文献２】特開２００４−７９４４２号公報
【特許文献３】特開２００７−１４１８７１号公報
【発明の開示】
【発明が解決しようとする課題】
【０００３】
上記特許文献１に開示されるスイッチ構造では、一対の固定接点が単に両側に離間（分割）して配置される構造であるため、ラバードーム（３）を固定接点上に直接的に配置することはできない。なぜなら両固定接点同士が常時導通状態となってしまうからである。このため特許文献１のスイッチ構造では、ラバードーム（３）を両固定接点のより外側で且つ高い位置にあるカバーレイ（２ｃ）上に設置する構造とされている。が、このような構造では、個々のラバードーム（３）の寸法をより大きくしなければならず、またスイッチングに必要なラバードーム（３）の屈曲深度をより大きくしなければならないという問題が生じる。勿論、特許文献１のスイッチ構造では、一対の固定接点が単に両側に離間されただけの配置であるので、１つの固定接点とそれを囲む環状の固定接点とからなる一対の固定接点を採用するものに比べて、スイッチング動作の確実性、信用性が劣るという問題もある。
【０００４】
上記特許文献２に開示される従来技術は、一対の固定接点が島状の固定接点（６）とそれを囲む環状の固定接点（５）とからなる構造を採用するものである。そして両固定接点（５）（６）間での常時導通を防止するために、島状の固定接点（６）のリード線を基板（１）に設けたスルーホール（７）を介して反対側の基板表面に延出させる構造としている。しかし、このような構造では、基板の両面に及んで導電パターンを形成しなければならないという問題がある。
【０００５】
上記特許文献３に開示される従来技術においては、メタルドーム（７）を環状の固定接点（ターミナル６）に設置する構造にした場合、メタルドーム（７）が固定接点（５）のリード線にも接地して常時導通状態になってしまう。このためメタルドーム（７）が接地するリード線部分はカバーレイ等の絶縁層で被覆することになる。が、そうするとカバーレイ等の絶縁層で被覆されたリード線部分の高さが環状の固定接点（６）の高さよりも高くなるため、結果として設置されるメタルドーム（７）の姿勢が傾く問題が生じる。
【０００６】
上記特許文献３等の従来技術においてメタルドーム等のドーム状可動接点が傾く状況を、図９〜図１１を用いて説明する。
図９はフレキシブルプリント配線板の平面図で、図１０は図９のＫ−Ｋ断面図、図１１は図９のＬ−Ｌ断面図である。
ベースフィルム１００の一側表面に一対の固定接点２１０、２２０を設けた導電パターン２００が積層され、更に前記一対の固定接点２１０、２２０を除いて導線パターン２００を被覆するカバーレイフィルム３００が積層されている。前記一対の固定接点２１０、２２０は、島状の第１固定接点２１０と、この第１固定接点２１０を囲む環状の第２固定接点２２０とからなる。第１固定接点２１０のリード線２１１は、第２固定接点２２０の囲みの一部開放領域２２１を通して、外部領域に延長されるように積層されている。そして前記第１固定接点２１０のリード線２１１部分が前記カバーレイフィルム３００の一部分３１０で被覆されるようにしている。符号４００はドーム状可動接点で、該ドーム状可動接点４００が前記第２固定接点２２０上に設置され、一部は前記リード線２１１を被覆するカバーレイフィルム３００の一部分３１０の上に設置されている。
前記ドーム状可動接点４００が設置された状態のＫ−Ｋ断面が図１０である。またＬ−Ｌ断面が図１１である。図１１でわかるように、ドーム状可動接点４００は傾いた状態となる。また図１０でわかるように、ドーム状可動接点４００が部分的に浮いた状態となり、第２固定接点２２０への設置が不安定となる。このようなドーム状可動接点４００の傾いた設置状態では、スイッチ動作の信頼性が低下し、またクリック感の低下を招く。更にドーム状可動接点４００による接地面が偏在することで、ドーム状可動接点４００が当接するカバーレイフィルム３００の一部分３１０が破損しやすくなる。勿論、第１固定接点２１０までの接触深さが深くなることによる問題も生じる。
【０００７】
なおドーム状可動接点４００の形状を、丸形からその両側をカットした形状に変更しした可動接点を用い、可動接点がリード線２１１を被覆するカバーレイフィルム３００の一部分３１０には着座しないようにすることも可能である。しかし、そのようなカットした形状の可動接点では可動接点の反発力が弱くなり、クリック感の低下につながる。
【０００８】
そこで本発明は、上記従来技術におけるドーム状可動接点が傾くことによるスイッチングの信頼性低下、クリック感の低下、カバーレイフィルムの破損等の問題点を解決し、島状の固定接点とそれを囲む環状の固定接点とによる一対の固定接点を構成したフレキシブルプリント配線板において、ドーム状可動接点を組み合わせたスイッチングがなされる場合においても、スルーホールを介した両面導電パターンを構成することなく、ドーム状可動接点による信頼性のあるスイッチングと良好なクリック感とを確保し、またカバーレイフィルムの破損を抑制することができるスイッチング用の固定接点を備えたフレキシブルプリント配線板の提供、またそのようなフレキシブルプリント配線板を用いた入力モジュール、そのモジュールを用いた携帯機器の提供を課題とする。
【課題を解決するための手段】
【０００９】
本発明のスイッチング用の固定接点を備えたフレキシブルプリント配線板は、ベースフィルム上に導電パターンと該導電パターンを被覆するカバーレイフィルムを備え、前記導電パターンにはスイッチング用の固定接点として第１固定接点とそれを囲む第２固定接点とを備え、前記固定接点に対して組み合わされるドーム状可動接点が押動されることで該ドーム状可動接点による前記第１固定接点と第２固定接点との間のスイッチングが行われるように構成してなるスイッチング用の固定接点を備えたフレキシブルプリント配線板であって、
前記第１固定接点のリード線を前記第２固定接点の囲みの一部開放領域を介して外部領域に延長するように構成し、
前記カバーレイフィルムは、前記第１固定接点及び第２固定接点を被覆することなく露出状態に保持する一方、前記第２固定接点の囲みの一部開放領域を通るリード線を被覆するように構成し、
且つ前記第１固定接点と第２固定接点の少なくとも一方のベースフィルム上での高さを、カバーレイフィルムで被覆される周囲の導電パターンの高さよりも高く構成してあることを第１の特徴としている。
【００１０】
上記本発明の第１の特徴において、第１固定接点のベースフィルム上での高さをカバーレイフィルムで被覆されている周囲の導電パターンの高さよりも高く構成すれば、ドーム状可動接点が第１固定接点に接地するのに必要な沈み込み深さが深くなりすぎるのを防止することができ、信頼性のあるスイッチングを確保できる。
また第２固定接点のベースフィルム上での高さを、カバーレイフィルムで被覆されている周囲の導電パターンの高さよりも高く構成すれば、第２固定接点とカバーレイフィルムとの高さの差をその分だけ小さくすることができ、ドーム状可動接点の設置姿勢が傾くの軽減することができる。よってドーム状可動接点による信頼性のあるスイッチングを確保することができ、良好なクリック感を維持することができる。またドーム状可動接点による押圧力の集中を緩和してカバーレイフィルムの耐破損性を改善することができる。
また第１固定接点と第２固定接点との両方におけるベースフィルム上での高さを、カバーレイフィルムで被覆される周囲の導電パターンの高さよりも高く構成すれば、ドーム状可動接点を第１固定接点に接地させるのに必要な沈み込み深さを浅くすることができると共に、ドーム状の可動接点の設置姿勢における傾きをより少なくすることができる。よって信頼性のあるスイッチングを確保し、また良好なクリック感を維持し、またカバーレイフィルムの耐破損性を改善することができる。
【００１１】
また本発明のスイッチング用の固定接点を備えたフレキシブルプリント配線板は、上記本発明の第１の特徴に加えて、第２固定接点のベースフィルム上での高さを、該第２固定接点の周囲にあるカバーレイフィルムのベースフィルム上での高さと同じ高さに構成してあることを第２の特徴としている。
【００１２】
上記本発明の第２の特徴によれば、上記本発明の第１の特徴による作用効果に加えて、第２固定接点のベースフィルム上での高さを、該第２固定接点の周囲にあるカバーレイフィルムのベースフィルム上での高さと同じ高さに構成してあるので、ドーム状可動接点として、ドームの一部をカットした形状のものではなく丸形の可動接点を用いても、ドーム状可動接点の設置姿勢における傾きを無くすことができる。よってスルーホールを介した両面導電パターンを構成することなく、丸形のドーム状可動接点による信頼性のあるスイッチングを確保し、また良好なクリック感を維持し、カバーレイフィルムの耐破損性を向上させることができる。
【００１３】
また本発明のスイッチング用の固定接点を備えたフレキシブルプリント配線板は、上記本発明の第１の特徴に加えて、第１固定接点、第２固定接点及び第２固定接点の周囲にあるカバーレイフィルムのベースフィルム上での高さを同じ高さに構成してあることを第３の特徴としている。
【００１４】
上記本発明の第３の特徴によれば、上記本発明の第１の特徴による作用効果に加えて、第１固定接点、第２固定接点及び第２固定接点の周囲にあるカバーレイフィルムのベースフィルム上での高さを同じ高さに構成してあるので、
ドーム状可動接点として、ドームの一部をカットした形状のものではなく、丸形の可動接点を用いても、ドーム状可動接点の設置姿勢における傾きを無くすことができる。よってスルーホールを介した両面導電パターンを構成することなく、ドーム状可動接点による信頼性のあるスイッチングを確保し、また良好なクリック感を維持し、カバーレイフィルムの耐破損性を向上させることができる。
加えて、第１固定接点も第２固定接点やその周囲のカバーレイフィルムと同じ高さにあるので、ドーム状可動接点を第１固定接点に接地させるのに必要な沈み込み深さが深くなりすぎるのを防止することができ、確実なスイッチングができる。またドーム状可動接点の耐破損性を十分に確保することができる。
【００１５】
また本発明のスイッチング用の固定接点を備えたフレキシブルプリント配線板は、上記第１〜第３の何れか１つの特徴に加えて、第１固定接点、第２固定接点、カバーレイフィルムの高さ調整は、それらに対応する導電パターン部分の積層厚を増肉若しくは減肉することによってなされていることを第４の特徴としている。
【００１６】
上記第４の特徴によれば、上記第１〜第３の何れか１つに記載の特徴による作用効果に加えて、第１固定接点、第２固定接点、カバーレイフィルムの高さ調整は、それらに対応する導電パターン部分の積層厚を増肉若しくは減肉することによってなされているので、第１固定接点、第２固定接点、カバーレイフィルムの高さ調整を簡単に行うことができる。
【００１７】
また本発明の入力モジュールは、上記第１〜第４の特徴の何れか１つに記載のスイッチング用の固定接点を備えたフレキシブルプリント配線板と、該配線板に組み合わされるドーム状可動接点と、該ドーム状可動接点に対して入力操作による押圧力を作用させる入力操作部とを少なくとも備えたことを第５の特徴としている。
【００１８】
上記本発明の第５の特徴に記載の入力モジュールによれば、スルーホールを介した両面導電パターンを構成したフレキシブルプリント配線板を用いることなく、ドーム状可動接点を用いた信頼性、耐久性のあるスイッチングを確保し、また良好なクリック感を得ることができる。
【００１９】
また本発明の携帯機器は、上記第５の特徴に記載の入力モジュールを少なくとも備えたことを第６の特徴としている。
【００２０】
上記第６の特徴による携帯機器によれば、スルーホールを介した両面導電パターンを構成したフレキシブルプリント配線板を用いることなく、ドーム状可動接点を用いて信頼性、耐久性のあるスイッチングを確保し、また良好なクリック感を得ることができる。
【発明の効果】
【００２１】
本発明のスイッチング用の固定接点を備えたフレキシブルプリント配線板、入力モジュール及び携帯機器によれば、ドーム状の可動接点を用いたものにおいて、信頼性のあるスイッチングと良好なクリック感を得ることができる。
【発明を実施するための最良の形態】
【００２２】
以下の図面を参照して、本発明の実施の形態に係るスイッチング用の固定接点を備えたフレキシブルプリント配線板、入力モジュール及び携帯機器を説明し、本発明の理解に供する。しかし、以下の説明は本発明の実施形態であって、特許請求の範囲に記載の内容を限定するものではない。
【００２３】
図１は本発明の第１の実施形態に係る携帯機器としての携帯電話機を示す斜視図、図２は図１に示す携帯電話機の入力モジュールの平面図、図３は図２に示す入力モジュールの一部を示す断面図、図４は入力モジュールに用いられるフレキシブルプリント配線板に設けられたスイッチング用の固定接点を示す平面図、図５は図４のＡ−Ａ断面図で、フレキシブルプリント配線板のスイッチング用の固定接点にドーム状可動接点を組み合わせた状態を示す。図６は図４のＢ−Ｂ断面図で、フレキシブルプリント配線板のスイッチング用の固定接点にドーム状可動接点を組み合わせた状態を示す。
【００２４】
先ず図１を参照して、本実施形態に係る携帯電話機１は、入力部１ａと表示部１ｂとを備える。表示部１ｂはヒンジ部１ｃを介して入力部１ａに開閉自在とされている。
【００２５】
図２、３も参照して、前記入力部１ａには、そのケース内に入力モジュール２を備えている。入力モジュール２には、入力操作部１０、導光部２０、ドームスイッチ部３０、ＬＥＤ等の光源４０、フレキシブルプリント配線板５０を備えている。
【００２６】
前記入力操作部１０は、入力操作を行う部分で、前記入力部１ａに露出した入力キー１１及び該入力キー１１と一体に成形された入力シート１２とからなる。入力シート１２及び入力キー１１はラバーで構成することができる。
前記導光部２０は、光源４０からの光を前記入力操作部１０の入力キー１１に導き、急力キー１１を光らすためのものである。導光板２１に光の反射パターン２２が形成されている。２３は押圧用凸部で、導光部２０に設けられているが、入力操作部１０に設けてもよい。
【００２７】
前記ドームスイッチ部３０には、ドームメタルと称するドーム状可動接点３１とそれをバックアップするラバー等の軟質弾性シートからなるドームシート３２とを備えている。このドームスイッチ部３０はフレキシブルプリント配線板５０上に配置されている。
フレキシブルプリント配線板５０は、ベースフィルム５１とその上面に構成された導電パターン５２と、更にその導電パターン５２を被覆するカバーレイフィルム５３を備えている。
前記ベースフィルム５１はポリイミド等の絶縁性の樹脂材料を用いることができる。
導電パターン５２は、例えば銅箔によるパターンをベースフィルム５１上に形成して構成することができる。
前記カバーレイフィルム５３もポリイミド等の絶縁性の樹脂材料を用いることができる。
【００２８】
図４も参照して、前記導電パターン５２には、その一部にスイッチング用の固定接点として、第１固定接点５２１と第２固定接点５２２とを備えている。
第１固定接点５２１は島状の固定接点とされ、第２固定接点５２２は第１固定接点５２１の周囲を囲む環状の固定接点とされている。第２固定接点５２２上に設置された上記ドーム状可動接点３１が押動されることで、該ドーム状可動接点３１の中央部が下方に沈み込み、第１固定接点５２１に接地する。この接地によって第１固定接点５２１と第２固定接点５２２とがドーム状可動接点３１を介して導通する。
第１固定接点５２１のリード線５２１ａは、第２固定接点５２２の囲みの一部開放領域５２２ａを介して外部領域へと延長されている。リード線５２１ａをこのように構成することで、ベースフィルム５１にスルーホールを設けなくても、第１固定接点５２１と第２固定接点５２２との常時導通状態を避けることができる。
前記カバーレイフィルム５３は、前記第１固定接点５２１と第２固定接点５２２とについては、これらを被覆することなく露出状態に保持している。ただし、前記第２固定接点５２２の囲みの一部開放領域５２２ａを通る第１固定接点５２１のリード線５２１ａ部分を、カバーレイフィルム５３のリード線被覆部５３１で被覆するように構成している。このように構成することで、前記ドーム状可動接点３１を環状の第２固定接点５２２上に設置して組み合わせても、第１固定接点５２２と第２固定接点５２２とが常時導通状態となるのを避けることができる。
【００２９】
図５、図６を参照して、本実施形態では第２固定接点５２２のベースフィルム５１上での高さを、該第２固定接点５２２の周囲にあるカバーレイフィルム５３のベースフィルム５１上での高さと同じ高さにしている。より詳細に言えば、第２固定接点５２２の高さを前記カバーレイフィルム５３のリード線被覆部５３１の高さと同じにしている。これによって、ドーム状可動接点３１の環状の下端面が第２固定接点５２２上及びその第２固定接点５２２と面一のリード線被覆部５３１上に接面することになり、ドーム状可動接点３１が傾くことがなく設置される。即ち、ドーム形状の何れの部分もカットされることのない丸形のドーム状可動接点３１を用いても、この丸形の可動接点３１が傾いて設置されることがなくなる。傾斜設置がなされないので、押圧力が偏在して加わることもなく全体に均等に加わり、結果としてカバーレイフィルム５３のリード線被覆部５３１や第２固定接点５２２やドーム状可動接点３１の耐破損性が向上する。勿論、ドーム状可動接点３１が傾かないので、信頼性のあるスイッチングと良好なクリック感とを確保できる。
また丸形の可動接点３１を用いる場合は、一部をカットしたものに比べて、クリック感が確保しやすい。
【００３０】
前記第２固定接点５２２の高さを、カバーレイフィルム５３の高さと同じ高さにするため、本実施形態では、基本となる導電パターン５２の第２固定接点５２２に対応する部分に対して導電性金属の鍍金を施し、これにより第２固定接点５２２の積層厚を増肉して高くするように構成している。
一方、第１固定接点５２１は、元の導電パターン５２の積層厚のままで、増肉による積層厚の増加は行っていない。
【００３１】
図７、図８を参照して、本発明の第２の実施形態を説明する。図７は第１実施形態における図４のＡ−Ａ断面に相当する断面図で、フレキシブルプリント配線板のスイッチング用の固定接点にドーム状可動接点を組み合わせた状態を示す。図８は図４のＢ−Ｂ断面に相当する断面図で、フレキシブルプリント配線板のスイッチング用の固定接点にドーム状可動接点を組み合わせた状態を示す。
【００３２】
本第２実施形態では、第１固定接点５２１及び第２固定接点５２２のベースフィルム５１上での高さを、周囲にあるカバーレイフィルム５３のベースフィルム５１上での高さと同じ高さにしている。より詳細に言えば、第１固定接点５２１と第２固定接点５２２との高さを前記カバーレイフィルム５３のリード線被覆部５３１の高さと同じにしている。
これによってドーム状可動接点３１が傾くことがなく、第２固定接点５２２及びカバーレイフィルム５３のリード線被覆部５３１上に設置することができる。丸形のドーム状可動接点３１を用いても傾斜状態になることがないので、押圧力が全体に均等に加わり、カバーレイフィルム５３のリード線被覆部５３１や第２固定接点５２２やドーム状可動接点３１の耐破損性が向上する。勿論、ドーム状可動接点３１が傾かないので、信頼性のあるスイッチングと良好なクリック感とを確保できる。
また第１固定接点５２１の高さが第２固定接点５２２やカバーレイフィルム５３のリード線被覆部５３１の高さと同じであるので、ドーム状可動接点３１の必要沈み込み深さが深くなりすぎることがなく、安定した信頼性のあるスイッチングが確保できると共に、耐破損性を良好に維持できる。
【００３３】
前記第１固定接点５２１、第２固定接点５２２の高さを、カバーレイフィルム５３の高さと同じ高さにするため、本実施形態では、基本となる導電パターン５２の第１固定接点５２１に対応する部分及び第２固定接点５２２に対応する部分に対して、導電性金属の鍍金を施し、これにより第１固定接点５２１及び第２固定接点５２２の積層厚を増肉して高くするように構成している。
【００３４】
上記第１の実施形態及び第２の実施形態においては、第１固定接点５２１や第２固定接点５２２の積層厚を鍍金等で増加させることで、それらの高さをカバーレイフィルム５３のリード線被覆部５３１と同じ高さに調整している。しかし、代わりに第１固定接点５２１のリード線５２１ａ部分の積層厚、即ち肉厚を、エッチング等により減肉することで、そのリード線５２１ａ部分を被覆するカバーレイフィルム５３のリード線被覆部５３１のベースフィルム５１上での高さを低く減じることで、該リード線被覆部５３１と第２固定接点５２２との高さを同じ高さにするようにしてもよい。
【００３５】
また上記第１の実施形態及び第２の実施形態においては、第２固定接点５２２をカバーレイフィルム５３（リード線被覆部５３１）の高さと同じ高さにし、また第１固定接点５２１と第２固定接点５２２との両方をカバーレイフィルム５３（リード線被覆部５３１）の高さと同じにしたが、必ずしも同じ高さに一致させなければならないものではない。第１固定接点５２１と第２固定接点５２２の少なくとも一方のベースフィルム上での高さを、周囲の導電パターン５２の積層厚（積層高さ）よりも高くすることで、それらのカバーレイフィルム５３（リード線被覆部５３１）との高さの差を少なくするようにしてもよい。これによってドーム状可動接点３１が傾いて設置されるのを軽減し、スイッチングの信頼性の低下、クリック感の低下を予防し、またカバーレイフィルム５３の耐破損性の低下を予防するようにしてもよい。
【産業上の利用可能性】
【００３６】
本発明は、携帯電話等の携帯機器、それに用いられる入力モジュール、それに用いられるフレキシブルプリント配線板として、産業上利用することができる。
【図面の簡単な説明】
【００３７】
【図１】本発明の第１の実施形態に係る携帯機器としての携帯電話を示す斜視図である。
【図２】携帯電話機の入力モジュールの平面図である。
【図３】図２に示す入力モジュールの一部を示す断面図である。
【図４】入力モジュールに用いられるフレキシブルプリント配線板に設けられたスイッチング用の固定接点を示す平面図である。
【図５】図４のＡ−Ａ断面図で、フレキシブルプリント配線板のスイッチング用の固定接点にドーム状可動接点を組み合わせた状態を示す。
【図６】図４のＢ−Ｂ断面図で、フレキシブルプリント配線板のスイッチング用の固定接点にドーム状可動接点を組み合わせた状態を示す。
【図７】本発明の第２の実施形態に係る携帯機器の入力モジュールに用いられるフレキシブルプリント配線板にドーム状可動接点を組み合わせた状態を示す断面図で、図４のＡ−Ａ断面に相当する断面図である。
【図８】本発明の第２実施形態に係る携帯機器の入力モジュールに用いられるフレキシブルプリント配線板にドーム状可動接点を組み合わせた状態を示す断面図で、図４のＢ−Ｂ断面に相当する断面図である。
【図９】従来技術を説明するフレキシブルプリント配線板の平面図である。
【図１０】図９のＫ−Ｋ断面図である。
【図１１】図９のＬ−Ｌ断面図である。
【符号の説明】
【００３８】
１        携帯電話機
１ａ      入力部
１ｂ      表示部
１ｃ      ヒンジ部
２        入力モジュール
１０      入力操作部
１１      入力キー
１２      入力シート
２０      導光部
２１      導光板
２２      反射パターン
２３      押厚用凸部
３０      ドームスイッチ部
３１      ドーム状可動接点
３２      ドームシート
４０      光源
５０      フレキシブルプリント配線板
５１      ベースフィルム
５２      導電パターン
５３      カバーレイフィルム
５２１    第１固定接点
５２１ａ  リード線
５２２    第２固定接点
５２２ａ  一部開放領域
５３１    リード線被覆部
【図１】
2009205885.tif 000003
【図２】
2009205885.tif 000004
【図３】
2009205885.tif 000005
【図４】
2009205885.tif 000006
【図５】
2009205885.tif 000007
【図６】
2009205885.tif 000008
【図７】
2009205885.tif 000009
【図８】
2009205885.tif 000010
【図９】
2009205885.tif 000011
【図１０】
2009205885.tif 000012
【図１１】
2009205885.tif 000013